Podtech/llm-jp-corpus-v4-ja_patent huggingface dataset:
【手続補正書】
【提出日】平成18年6月1日(2006.6.1)
【手続補正１】
【補正対象書類名】明細書
【補正対象項目名】特許請求の範囲
【補正方法】変更
【補正の内容】
【特許請求の範囲】
【請求項１】  圧縮流体二酸化炭素と、不活性ガスと、該二酸化炭素に可溶な非イオン性フルオロケミカル安定剤とを含んでなる流体組成物であって、
前記フルオロケミカル安定剤が、１個以上のカテナリー窒素ヘテロ原子またはカテナリー酸素ヘテロ原子を含有していてもよい非イオン性の直鎖状または分枝状の環式または非環式のフッ素化炭化水素を含む、流体組成物。
【請求項２】  前記フルオロケミカル安定剤が、直鎖状または分枝状の環式または非環式のペルフルオロアルカン、ペルフルオロエーテル、ペルフルオロポリエーテルおよびペルフルオロアミンからなる群より選択される、請求項１に記載の流体組成物。
【請求項３】  前記フルオロケミカル安定剤が、一般式：
Ｒｆ−Ｏ−Ｒ
〔式中、ＲｆおよびＲは、互いに同じであっても異なっていてもよく、置換および無置換のアルキル基、アリール基、およびアルキルアリール基からなる群より選択され、Ｒｆは過フッ素化されており、Ｒはフッ素原子を含有していない。〕
で表わされるフッ素化エーテルを含む、請求項２に記載の流体組成物。
【請求項４】  前記圧縮流体ＣＯ２中の前記不活性ガスの割合が約１〜７５重量％である、請求項１に記載の流体組成物。
【請求項５】  前記流体組成物中の前記フルオロケミカル安定剤の濃度が約０．０１〜１０体積％である、請求項１に記載の流体組成物。
【請求項６】  前記フルオロケミカル安定剤が、３〜２０個の炭素原子を含み、場合により、１個以上のカテナリーヘテロ原子を含んでいてよい、過フッ素化されまたは部分的にフッ素化された液体から選ばれる、請求項１に記載の流体組成物。
【請求項７】  基材から所望の成分を抽出する方法であって、
（ａ）該所望の成分の抽出を行うのに十分な時間にわたって請求項１に記載の流体組成物に該基材を接触させるステップと、
（ｂ）該所望の成分を含有した該流体組成物を該基材から分離するステップと、
（ｃ）該所望の成分を該流体組成物から分離するステップと、
を含んでなる方法。
【請求項８】  前記流体組成物が二酸化炭素を２５〜９９重量％含む、請求項７に記載の方法。
【請求項９】  前記流体組成物が、水、低級アルコール、カルボン酸、エステル、アミド、ケトン、アルカン、ヒドロクロロカーボン、ヒドロクロロフルオロカーボンおよびエーテルからなる群より選択される共溶媒を更に含む、請求項７に記載の方法。
【請求項１０】  基材から汚染物質を清浄除去する方法であって、
（ａ）該基材の該汚染物質を除去しまたは追い出すのに十分な時間にわたって請求項１に記載の流体組成物に該基材を接触させるステップと、
（ｂ）該汚染物質を含有する該流体組成物を該基材から分離するステップと、
（ｃ）該汚染物質を該流体組成物から分離するステップと、
を含んでなる方法。
【誤訳訂正書】
【提出日】平成18年10月6日(2006.10.6)
【誤訳訂正１】
【訂正対象書類名】明細書
【訂正対象項目名】発明の名称
【訂正方法】変更
【訂正の内容】
【発明の名称】多次元に積層されたチップ積層体を保安するための方法
【手続補正書】
【提出日】平成18年7月13日(2006.7.13)
【手続補正１】
【補正対象書類名】明細書
【補正対象項目名】特許請求の範囲
【補正方法】変更
【補正の内容】
【特許請求の範囲】
【請求項１】  進行中に単一巻取ステーションでウェブ（１２）をコア（１４）に巻き取るとともに該ウェブを次のコアに転送する巻取装置（１０）において、
表面（２６）を有する回転可能なドラム（２４）であって、前記ウェブが該回転ドラムの表面の一部に接触して移動する回転可能なドラム（２４）と、
前記回転ドラムに近い上流側に配置された引込可能なアイドラローラ（２２）であって、該回転ドラムに対して接近および離間するように移動可能である引込可能なアイドラローラ（２２）と、
前記ウェブを切断する手段（３２）と、
前記ウェブが切断された直後に前記回転ドラムから前記アイドラローラを離間するように移動させて、該アイドラローラと該回転ドラムとの間の距離を長くすることにより該ウェブの切断端部の間にギャップを設ける手段（４２）と、
前記単一巻取ステーションにおいて前記回転ドラムに近接してコアを支持し、該コアへ前記ウェブを巻き取ることができるようにする手段であって、前記巻取動作を停止することなく進行中に、巻き取ったウェブを有する第１コアを該単一巻取ステーションから離間するように移動するとともに、第２コアを該単一巻取ステーションにおいて前記回転ドラムと接触するように移動して該第２コアへ前記ウェブを巻き取ることができるようにする手段を備えるコア支持手段と、
を具備することを特徴とする巻取装置。
【請求項２】  ウェブが、引込可能なアイドラローラ（２２）の周りに運ばれ、回転可能なドラムの表面（２６）の一部に接触して移動するように該ドラム（２４）の周りに部分的に巻き付けられ、該回転ドラムから第１コア上に運ばれ、該第１コアが所定長のウェブを受け取るまで該第１コアに巻き取られ、そして切断された後に、進行中に単一巻取ステーションで該第１コア（１４）から第２コア（１４）へウェブ（１２）の巻き体を転送する方法において、
前記ウェブが切断されて該ウェブの切断端部間にギャップを形成した後に、前記アイドラローラと前記回転ドラムとの間の距離を長くするステップと、
前記ギャップが前記巻取ステーションの位置の下を通過するに従い、前記第１コアを前記回転ドラム表面から離間するように移動させるステップと、
前記第１コアが離れるに従い前記第２コアを前記回転ドラム表面に接触するように移動するステップと、
巻取動作を停止することなく進行中に、入ってくる切断端部を前記単一巻取ステーションで前記第２コアに巻き取るステップと、
を具備する方法。
【手続補正書】
【提出日】平成17年7月8日(2005.7.8)
【手続補正１】
【補正対象書類名】明細書
【補正対象項目名】特許請求の範囲
【補正方法】変更
【補正の内容】
【特許請求の範囲】
【請求項１】  ２−（Ｎ−フェニルアミノ）安息香酸の製造方法。この方法は式Ｉ
【化１】
2002543055.tif 000001
の安息香酸及び式II
【化２】
2002543055.tif 000002
のアニリンをアルカリ金属ヘキサメチルジシラジドを用いて反応させて式III
【化３】
2002543055.tif 000003
の２−（Ｎ−フェニルアミノ）安息香酸を形成させる段階からなり、式中、各Ｒは独立して水素、ハロゲン、Ｃ1〜Ｃ6アルキル、−ＯＣ1〜Ｃ6アルキル、ＣＮ、又はＮＯ2である。
【請求項２】  アルカリ金属ヘキサメチルジシラジドがリチウムヘキサメチルジシラジドである請求項１に記載の方法。
【請求項３】  アルカリ金属ヘキサメチルジシラジドが安息香酸について３当量又はそれより多い請求項１に記載の方法。
【請求項４】  安息香酸の２位のハロゲン置換基がフッ素である請求項１に記載の方法。
【請求項５】  反応は極性非プロトン性溶媒中で−７８℃ないし２５℃で行なわれる請求項１に記載の方法。
【請求項６】  極性非プロトン性溶媒がテトラヒドロフランである請求項５に記載の方法。
【請求項７】  安息香酸が２,３,４−トリフルオロ安息香酸でありそしてアニリンが２−クロロ−４−ヨードアニリンである請求項１に記載の方法。
【請求項８】  安息香酸及びアニリンが１：１モル比で存在する請求項１に記載の方法。
【請求項９】  アニリンの上の１つ又はそれより多い置換基Ｒが電子供与基である請求項１に記載の方法。
【請求項１０】  電子供与基が−ＯＣＨ3である請求項９に記載の方法。
【手続補正２】
【補正対象書類名】明細書
【補正対象項目名】００２３
【補正方法】変更
【補正の内容】
【００２３】
アニリン環の上の置換基も得られる２−（Ｎ−フェニルアミノ）安息香酸の収率に影響を与える。例えば、電子供与基、例えば−ＯＣ1〜Ｃ6アルキル、ハロゲン、Ｃ1〜Ｃ6アルキル、ジアルキルアミン、又は−ＳＣ1〜Ｃ6アルキル、及びこの技術分野の熟練者によく知られたその他の基の存在はアニリンの反応性を増しそしてその結果２−（Ｎ−フェニルアミノ）安息香酸のより高い収率をもたらす。もし電子求引基例えばニトロ、カルボニル（アルデヒド及びケトンの両方）、エステル及びニトリル、並びにこの技術分野の熟練者によく知られたその他の基がアニリンの置換基である場合、反応性は低下しそして２−（Ｎ−フェニルアミノ）安息香酸の収率は減少する。これらの知見を表５に纏めて示す。
【手続補正書】
【提出日】平成17年7月5日(2005.7.5)
【手続補正１】
【補正対象書類名】明細書
【補正対象項目名】特許請求の範囲
【補正方法】変更
【補正の内容】
【特許請求の範囲】
【請求項１】脂肪酸カルシウム塩生成物を製造する方法であって、
（ａ）約４５重量％よりも大きいＣ１０〜Ｃ２２脂肪酸含量を脂肪酸グリセリドの形で有するＣ１０〜Ｃ２２脂肪酸混合物と、（ｂ）混合材料の総重量の約１０〜約３０％の酸化カルシウムとから成る反応成分の混合材料を形成する工程と、
前記酸化カルシウムの重量に対して約１０重量％〜約１００重量％の水を、混合材料に添加する工程と、
前記脂肪酸グリセリドがケン化して脂肪酸カルシウム塩を生成するように前記混合材料を約１５０〜２５０℃の間の温度にて加熱する工程と、から成る方法。
【請求項２】前記混合材料を冷却して、固体の自由に流動する顆粒状の脂肪酸カルシウム塩生成物を形成する工程をさらに含む、請求項１に記載の方法。
【請求項３】前記Ｃ１０〜Ｃ２２脂肪酸混合物が、約８５〜約１００重量％のグリセリド含量を有する、請求項１に記載の方法。
【請求項４】前記Ｃ１０〜Ｃ２２脂肪酸混合物が、黄色脂肪、白色脂肪、ラード、及びタロー、植物油及び魚油から成る群より選択された脂肪酸供給原料である、請求項１に記載の方法。
【請求項５】前記混合材料は約１５〜約３０重量％の酸化カルシウムを含む、請求項１に記載の方法。
【請求項６】前記混合材料は約１０〜約１５重量％の前記酸化カルシウムを含む、請求項１に記載の方法。
【請求項７】前記温度は約１８０〜約２２０℃の間である、請求項６に記載の方法。
【請求項８】前記混合材料は、生物活性物質をさらに含む、請求項１に記載の方法。
【請求項９】前記生物活性物質はアミノ酸である、請求項８に記載の方法。
【請求項１０】反芻動物に脂肪酸飼料補助物を供給するプロセスであって、前記動物の飼料の乾燥物質体積の少なくとも約１％に等しい量で請求項１に記載の方法により製造された脂肪酸カルシウム塩生成物を含む第一胃迂回飼料補助物を前記動物に与える工程から成るプロセス。
【請求項１１】前記動物が畜牛である、請求項１０に記載のプロセス。
【請求項１２】前記動物が授乳中の乳牛である、請求項１１に記載のプロセス。
【請求項１３】前記第一胃迂回飼料補助物が前記飼料の乾燥物質体積の約１０％を超えない量で前記飼料に添加される、請求項１０に記載のプロセス。
【請求項１４】前記第一胃迂回飼料補助物が、前記飼料の乾燥固形体積の約３〜約５％の量で前記飼料に添加される、請求項１３に記載のプロセス。
【手続補正書】
【提出日】平成18年10月11日(2006.10.11)
【手続補正１】
【補正対象書類名】明細書
【補正対象項目名】特許請求の範囲
【補正方法】変更
【補正の内容】
【特許請求の範囲】
【請求項１】  水性媒体中に分散すると減粘多糖の非存在下で水性媒体中に分散されたグルコマンナンと比べて低粘度のグルコマンナン組成物となるような量で減粘多糖が存在する、グルコマンナンおよび約１，０００〜約５０，０００ダルトンの分子量を有する減粘多糖を含有してなる、組成物。
【請求項２】  グルコマンナンがコンニャク粉末である請求項１記載の組成物。
【請求項３】  減粘多糖が、マルトデキストリン、グアールガム水解物、イヌリンおよびその組み合わせからなる群より選ばれてなる請求項１記載の組成物。
【請求項４】  水性媒体中に分散されたコンニャクおよび約１，０００〜約５０，０００ダルトンの分子量を有する減粘多糖を含有してなり、減粘多糖の非存在下で水性媒体中に分散されたコンニャクと比べて低粘度である低粘度コンニャク組成物。
【請求項５】  減粘多糖が、マルトデキストリン、グアールガム水解物、イヌリンおよびその組み合わせである請求項４記載の組成物。
【請求項６】  水性媒体が、水、ミルク、水系飲料、乳飲料、炭酸飲料、非炭酸飲料、果汁飲料、ビール、ワインおよび豆乳からなる群より選ばれてなる請求項４記載の組成物。
【請求項７】  マルトデキストリンのデキストロース当量値が約１８未満である請求項５記載の組成物。
【請求項８】  マルトデキストリンの量が約０．５重量％〜約２０重量％である請求項５記載の組成物。
【請求項９】  コンニャクの量が約０．５重量％〜約５．０重量％である請求項４記載の組成物。
【請求項１０】  グアール水解物の量が約１重量％〜約２０重量％である請求項５記載の組成物。
【請求項１１】  イヌリンの量が約０．５重量％〜約３０重量％である請求項５記載の組成物。
【請求項１２】  請求項１または４記載の組成物を含有してなる食品または飲料。
【請求項１３】  脂肪を含有する食品または飲料である請求項１２記載の食品または飲料。
【請求項１４】  減脂肪、低脂肪もしくは無脂肪の食品または飲料である請求項１２記載の食品または飲料。
【請求項１５】  減脂肪、低脂肪もしくは無脂肪の食品または飲料が、アイスクリーム、ケーキ、プリン系デザート、ソース、マーガリン、バター、ピーナツバター、サラダドレッシング、クリームチーズ、スナック用ディップ、マヨネーズ、サワークリーム、ヨーグルト、フローズンデザート、ファッジ、チーズおよびスキムミルクからなる群より選ばれてなる請求項１４記載の食品または飲料。
【請求項１６】  ベークド食品の製造プロセスにおいてショートニングとして使用されるものである請求項１２記載の食品または飲料。
【請求項１７】  ベークド食品が、ケーキ、パイ、ブラウニー、クッキー、パン、ヌードル、クラッカー、グラハムクラッカーおよびプレツェルからなる群より選ばれる請求項１６記載の食品。
【請求項１８】  グルコマンナンと約１，０００〜約５０，０００ダルトンの分子量を有する減粘多糖とを水性媒体中で混合し、それにより低粘度グルコマンナン組成物を調製する工程を含む、低粘度グルコマンナン組成物の調製法。
【請求項１９】  減粘多糖が、マルトデキストリン、グアールガム水解物、イヌリンおよびその組み合わせからなる群より選ばれる請求項１８記載の方法。
【請求項２０】  マルトデキストリンが約１８未満のデキストロース当量値を有する請求項１９記載の方法。
【請求項２１】  マルトデキストリンが約０．５重量％〜約２０重量％の量で存在する請求項１９記載の方法。
【請求項２２】  グアール水解物が約１重量％〜約２０重量％の量で存在する請求項１９記載の方法。
【請求項２３】  グルコマンナンがコンニャク粉末である請求項１８記載の方法。
【請求項２４】  コンニャクが約０．５重量％〜約５．０重量％の量で存在する請求項２３記載の方法。
【請求項２５】  コンニャクが、血清コレステロールの低下もしくは血清グルコースレベルの低下またはその両方をもたらすために栄養学的に有益な量で存在する請求項２３記載の方法。
【請求項２６】  血中グルコースレベルを低下するための医薬の製造における、グルコマンナンおよび約１，０００〜約５０，０００ダルトンの分子量を有する減粘多糖を水性媒体中に含有してなる組成物の使用。
【請求項２７】  血中コレステロールを低下するための医薬の製造における、グルコマンナンおよび約１，０００〜約５０，０００ダルトンの分子量を有する減粘多糖を水性媒体中に含有してなる組成物の使用。
【請求項２８】  ａ）マルトデキストリンおよびグルコマンナンの混合物を含有する食品または飲料を、水性媒体中、低粘度混合物を生成するのに適した条件下で加熱する工程；および
ｂ）マルトデキストリンの分子量を低下させるために、グルコマンナン−マルトデキストリン組成物中のマルトデキストリンを加水分解する工程
を含み、それにより該組成物の粘度を増大する、低粘度の食品または飲料からの高粘度の食品または飲料の調製方法。
【請求項２９】  マルトデキストリンが約１８未満のデキストロース当量値を有する請求項２８記載の方法。
【請求項３０】  グルコマンナンの量が約０．５重量％〜約５．０重量％である請求項２８記載の方法。
【請求項３１】  酵素的処理もしくは酸処理またはその組み合わせを工程（ｂ）で使用する請求項２８記載の方法。
【請求項３２】  酵素がα−アミラーゼである請求項３１記載の方法。
【請求項３３】  請求項１または４記載の組成物を含有してなるゲル栄養物。
【請求項３４】  請求項１または４記載の組成物を含有してなる医薬品または栄養飲料。
【請求項３５】  糖尿病患者に適した成分を含有してなる請求項３４記載の医薬品または栄養飲料。
【請求項３６】  グルコマンナン組成物が減粘多糖の非存在下で水性媒体中に分散されたグルコマンナンと比べて低粘度を有し、水性媒体中に分散されたグルコマンナンおよび約１，０００〜約５０，０００ダルトンの分子量を有する減粘多糖を含有するグルコマンナン組成物を含有してなる食品または飲料。
【手続補正書】
【提出日】平成18年4月19日(2006.4.19)
【手続補正１】
【補正対象書類名】明細書
【補正対象項目名】特許請求の範囲
【補正方法】変更
【補正の内容】
【特許請求の範囲】
【請求項１】
（ａ）複数の歯ブラシボディを実質的に同時にモールド成形するためのモールド成形ユニットと、
（ｂ）前記モールド成形ユニットから歯ブラシボディを取り出す取出要素と、
（ｃ）歯ブラシボディに剛毛の房を固定して歯ブラシを製造する植毛機と、
（ｄ）前記取出要素から前記植毛機まで歯ブラシボディを自動的に搬送するための搬送機と、を備えることを特徴とする歯ブラシ製造装置。
【請求項２】
前記搬送機は、前記歯ブラシボディの配列から前記植毛機に対して個々の歯ブラシボディを順番に供給する能力を有することを特徴とする請求項２に記載の装置。
【請求項３】
前記搬送機は、異なる特性を有した歯ブラシボディを選別する要素を有するともに、選別した歯ブラシボディを自動的に前記植毛機に搬送することを特徴とする請求項１に記載の装置。
【請求項４】
前記搬送機は、異なる色を有した歯ブラシボディを選別する要素を有するともに、選別した歯ブラシボディを自動的に前記植毛機に搬送することを特徴とする請求項１に記載の装置。
【請求項５】
前記モールド成形ユニットは、 
歯ブラシボディを画成する第１のキャビティと、 
前記第１のキャビティと流体的に連通する第１の射出ユニットと、
前記第１のキャビティと流体的に連通する第２の射出ユニットと、
を有することを特徴とする請求項１に記載の装置。
【請求項６】
前記モールド成形ユニットは、
（ａ）歯ブラシボディを画成する第２のキャビティと、
（ｂ）歯ブラシボディを画成する第３のキャビティと、をさらに有し、
前記第１の射出ユニットは前記第２のキャビティと流体的に連通し、
前記第２の射出ユニットは前記第３のキャビティと流体的に連通しており、
前記射出ユニットは、
（ｉ） 第１の特性を有した歯ブラシボディを製造するために第１の特性を有した第１のモールド成形材料を前記第２のキャビティに射出することと、
（ｉｉ） 第２の特性を有した歯ブラシボディを製造するために第２の特性を有した第２のモールド成形材料を前記第３のキャビティに射出することと、
（ｉｉｉ） 射出されたモールド成形材料に対応する特性を有した歯ブラシボディを製造するために前記第１のキャビティに前記第１の若しくは前記第２のモールド成形材料を射出することと、を、
実質的に同時に行う能力を有することを特徴とする請求項５に記載の装置。
【請求項７】
前記搬送機は、
前記植毛機に歯ブラシボディの配列を搬送するための第１のコンベヤと、
前記取出要素からの歯ブラシボディの配列を受け取っておよび前記第１のコンベヤに配列を搬送するための第２のコンベヤと、
を有することを特徴とする請求項１に記載の装置。
【請求項８】
個々の歯ブラシを包装する包装機と、前記植毛機から前記包装機まで歯ブラシを自動的に搬送するための第２の搬送機と、を更に備えることを特徴とする請求項１に記載の装置。
【請求項９】
包装された歯ブラシを自動的に第２のパッケージ内に包装して前記第２のパッケージが異なる特性を有した複数の歯ブラシを含むようにするための第２の包装機を更に備えることを特徴とする請求項８に記載の装置。
【請求項１０】
１つのモールド内で異なる特性を有した歯ブラシボディ実質的に同時に製造する段階と、
前記歯ブラシボディを植毛機に自動的に搬送する段階と、
異なる特性を有した歯ブラシを製造するために剛毛の房を前記歯ブラシボディに固定する段階と、
を備えることを特徴とする異なる特性を有した歯ブラシの製造方法。
【請求項１１】
（ａ）異なる特性を有を有する複数の物品を実質的に同時にモールド成形するためのモールド成形ユニットと、
（ｂ）前記金型キャビティから物品を取り出す要素と、
（ｃ）物品を自動的に包装するための包装機と、
（ｄ）前記物品を前記取出要素から前記包装機まで自動的に搬送するための搬送機と、を備えることを特徴とする異なる特性を有した物品を製造するための装置。
【請求項１２】
実質的に同様の物品を画成する複数のキャビティを有したモールドから異なる特性を有した物品を製造する方法であって、
異なる特性を有した複数の物品を前記モールド内で実質的に同時に製造する段階と、 
前記物品を包装機に自動的に搬送する段階と、
異なる特性を有して包装された物品を製造するために前記物品を包装する段階と、
を備えることを特徴とする方法。
【請求項１３】
前記特性が色であることを特徴とする請求項１０または１２に記載の方法。
【手続補正書】
【提出日】平成18年2月27日(2006.2.27)
【手続補正１】
【補正対象書類名】明細書
【補正対象項目名】特許請求の範囲
【補正方法】変更
【補正の内容】
【特許請求の範囲】
【請求項１】  バラの実の濃縮物を含む処方物を製造するための方法であって、
複数のバラの実を得るステップと、
該バラの実を小片に破砕するステップと、
該実肉を堅果および毛から分離するステップと、
該実肉部分を暗闇で５０℃未満の温度で、水分５％の状態まで乾燥させるステップと、
該乾燥させた実肉部分を粉砕して粒径が０．１ｍｍから０．５ｍｍの粉にするステップとを含む、方法。
【請求項２】  該分離ステップまでに冷凍されたバラの実の使用をさらに含む、請求項１に記載の方法。
【請求項３】  請求項１に記載の該方法が入手可能な処方物を含む食品または飲料。
【手続補正書】
【提出日】平成18年3月28日(2006.3.28)
【手続補正１】
【補正対象書類名】明細書
【補正対象項目名】特許請求の範囲
【補正方法】変更
【補正の内容】
【特許請求の範囲】
【請求項１】  少なくとも1のNSAIDによって治療中の高血圧症を有する哺乳類の患者における高血圧症を軽減するために用いられる、ピリドキシン、ピリドキシン塩酸塩、ピリドキサール、ピリドキサール５ホスフェート、ピリドキサミン、または４ピリドキシン酸から選択されるビタミンB6補助剤を有効量含む治療薬。
【請求項２】  ビタミンB６補助剤の量が患者の体重７０ｋｇにつき約１０ｍｇから５００ｍｇである請求項１の治療薬。
【請求項３】  非ステロイド抗炎症薬（NSAID）の有益な薬理学的作用を必要としている高血圧症を患う哺乳類の患者を治療するために用いられる治療薬で、有効量のビタミンB6補助剤であって、ピリドキシン、ピリドキシン塩酸塩、ピリドキサール、ピリドキサール−５−ホスフェート、ピリドキサミン、または４ピリドキシン酸より選択されるものを含む治療薬。
【請求項４】  請求項３に記載の治療薬で、前記NSAIDが前記ビタミンB6補助剤と共に投与される治療薬。
【請求項５】  請求項３に記載の治療薬で、前記NSAIDが前記ビタミンB6補助剤と別途に投与される治療薬。
【請求項６】  NSAIDが、ジクロフェナック、インドメタシン、アセチルサリチル酸、スリンダック、アルクロフェナック、アムフェナック、ピロキシカム、ナプロキセン、フェノプロフェン、イブプロフェン、ケトプロフェン、フルルビプロフェン、アルミノプロフェン、ケトロラク、GOBAB、アミキセトリン、ジフルニサル、メフェナム酸、フェニルブタゾン、チアプロフェニック酸、及びトルメチンの中から選択される請求項３に記載の治療薬。
【請求項７】  ビタミンB6補助剤が患者の体重７０ｋｇあたり約１０ｍｇから５００ｍｇの量投与される請求項６に記載の治療薬。
【請求項８】  NSAIDがジクロフェナック、インドメタシンまたはアセチルサリチル酸である請求項７に記載の治療薬。
【請求項９】  NSAID及びビタミンB6補助剤の両方を取り込んだカプセルまたは錠剤であり、経口投与により、NSAID及びビタミンB6補助剤の投与を同時に達成される請求項７に記載の治療薬。
【請求項１０】  NSAIDが、ジクロフェナック、インドメタシン、アセチルサリチル酸、スリンダック、アルクロフェナック、アムフェナック、ピロキシカム、ナプロキセン、フェノプロフェン、イブプロフェン、ケトプロフェン、ジフルニサル、アルミノプロフェン、ケトロラク、GOBAB、アミキセトリン、フルルビプロフェン、メフェナム酸、フェニルブタゾン、チアプロフェニック酸、及びトルメチンの中から選択される請求項１に記載の治療薬。
【誤訳訂正書】
【提出日】平成18年4月19日(2006.4.19)
【誤訳訂正１】
【訂正対象書類名】明細書
【訂正対象項目名】請求項３１
【訂正方法】変更
【訂正の内容】
【請求項３１】  車両内の乗員を検出し、それに応じて安全拘束システムの作動を制御する方法であって、
ａ．安全拘束システムが作動しそうな時を予測する段階と、
ｂ．安全拘束システムが作動しそうな時を予測する前記操作段階に応じて、乗員の位置を感知するセンサの作動を制御する段階と、
ｃ．乗員の感知位置に応じて安全拘束システムを制御する段階とを含む、前記方法。
【誤訳訂正２】
【訂正対象書類名】明細書
【訂正対象項目名】請求項３２
【訂正方法】変更
【訂正の内容】
【請求項３２】  乗員の位置を感知するセンサが、通常は不作動状態にあり、センサの作動を制御する操作段階が、センサを作動させる段階を含む、請求項３１に記載の車両内の乗員を検出し、それに応じて安全拘束システムの作動を制御する方法。
【誤訳訂正３】
【訂正対象書類名】明細書
【訂正対象項目名】請求項３３
【訂正方法】変更
【訂正の内容】
【請求項３３】  センサの作動を制御する操作段階は、センサの負荷サイクルを制御段階とを含む、請求項３１に記載の車両内の乗員を検出し、それに応じて安全拘束システムの作動を制御する方法。
【誤訳訂正４】
【訂正対象書類名】明細書
【訂正対象項目名】請求項３４
【訂正方法】変更
【訂正の内容】
【請求項３４】  安全拘束システムが作動しそうな時を予測する操作段階が、車両の加速度を感知し、該加速度を閾値と比較する段階を含み、加速度が閾値を超えている場合、安全拘束システムが作動しそうであることを予測する、請求項３１に記載の車両内の乗員を検出し、それに応じて安全拘束システムの作動を制御する方法。
【誤訳訂正５】
【訂正対象書類名】明細書
【訂正対象項目名】請求項３６
【訂正方法】変更
【訂正の内容】
【請求項３６】  車両内の乗員を検出し、それに応じて安全拘束システムの作動を制御する方法であって、
ａ．安全拘束システムを作動させるべきでない状態を検出する段階と、
ｂ．安全拘束システムを作動させるべきでない状態を検出する操作段階に応じて、乗員の位置を感知するセンサの作動を制御する段階と、
ｃ．乗員の感知位置に応じて安全拘束システムを制御する段階とを含む方法。
【誤訳訂正６】
【訂正対象書類名】明細書
【訂正対象項目名】請求項３７
【訂正方法】変更
【訂正の内容】
【請求項３７】  乗員の位置を感知するセンサが、通常は不作動状態にあり、センサの作動を制御する操作段階が、センサを作動させる段階を含む、請求項３６に記載の車両内の乗員を検出し、それに応じて安全拘束システムの作動を制御する方法。
【誤訳訂正７】
【訂正対象書類名】明細書
【訂正対象項目名】請求項３８
【訂正方法】変更
【訂正の内容】
【請求項３８】  センサの作動を制御する操作段階が、センサの負荷サイクルを制御する段階を含む、請求項３６に記載の車両内の乗員を検出し、それに応じて安全拘束システムの作動を制御する方法。
【誤訳訂正８】
【訂正対象書類名】明細書
【訂正対象項目名】請求項３９
【訂正方法】変更
【訂正の内容】
【請求項３９】  安全拘束システムを作動させるべきでない状態を検出する操作段階が、安全拘束システムで損傷を負う危険性がある領域内近傍に乗員が存在していることを感知する段階を含む、請求項３６に記載の車両内の乗員を検出し、それに応じて安全拘束システムの作動を制御する方法。
【誤訳訂正９】
【訂正対象書類名】明細書
【訂正対象項目名】請求項４０
【訂正方法】変更
【訂正の内容】
【請求項４０】  領域への乗員の近接を感知する操作段階が、該乗員に無害である請求項３９に記載の車両内の乗員を検出し、それに応じて安全拘束システムの作動を制御する方法。
【誤訳訂正１０】
【訂正対象書類名】明細書
【訂正対象項目名】請求項４１
【訂正方法】変更
【訂正の内容】
【請求項４１】  領域への乗員の近接を感知する操作段階は、容量性センサ、視覚センサおよび受動赤外線センサの内から選択された近接センサで乗員を感知する段階を含む、請求項４０に記載の車両内の乗員を検出し、それに応じて安全拘束システムの作動を制御する方法。
【誤訳訂正１１】
【訂正対象書類名】明細書
【訂正対象項目名】請求項４３
【訂正方法】変更
【訂正の内容】
【請求項４３】  安全拘束システムのパワーを減少させる操作段階が、安全拘束システムを使用禁止にする段階を含む、請求項４２に記載の車両内の乗員を検出し、それに応じて安全拘束システムの作動を制御する方法。
【誤訳訂正１２】
【訂正対象書類名】明細書
【訂正対象項目名】請求項４４
【訂正方法】変更
【訂正の内容】
【請求項４４】  さらに、一定時間の経過および前記加速度が閾値より低い事象の内から選択された状態に応じて前記センサを使用禁止にする操作段階を含む、請求項４２に記載の車両内の乗員を検出し、それに応じて安全拘束システムの作動を制御する方法。
【誤訳訂正１３】
【訂正対象書類名】明細書
【訂正対象項目名】請求項４６
【訂正方法】変更
【訂正の内容】
【請求項４６】  安全拘束システムのパワーを減少させる操作段階が、安全拘束システムを使用禁止にする段階を含む、請求項４５に記載の車両内の乗員を検出し、それに応じて安全拘束システムの作動を制御する方法。
【誤訳訂正１４】
【訂正対象書類名】明細書
【訂正対象項目名】請求項４７
【訂正方法】変更
【訂正の内容】
【請求項４７】  さらに、一定時間の経過および前記加速度が閾値より低い事象の内から選択された状態に応じて前記センサを使用禁止にする操作段階を含む、請求項４５に記載の車両内の乗員を検出し、それに応じて安全拘束システムの作動を制御する方法。
【手続補正書】
【提出日】平成18年2月8日(2006.2.8)
【手続補正１】
【補正対象書類名】明細書
【補正対象項目名】特許請求の範囲
【補正方法】変更
【補正の内容】
【特許請求の範囲】
【請求項１】  エア用のピストン及びシリンダユニット（20、37）と、液体用のピストン及びシリンダユニット（21、38）とを有し、この構成では、ピストン及びシリンダユニット（21、37；21，38）それぞれは、流入バルブ（30；44）と流出バルブ（24）とを有し、互いに連結されて協働し、さらに、エアと液体との混合物用の混合チャンバ(14)と、泡送出開口(9)付スプレーヘッド(2)とを有する、液体容器向けの泡スプレー装置(1)において、
第1ユニットのシリンダ(20)と第2ユニットのピストン(21)とは、中間部品(5)を形成し、さらに第1ユニットのピストン(37)と第2ユニットのシリンダ(38)とは、基礎部品(4)を形成し、中間部品(5)と基礎部品(4)とが噛み合い、互いに移動可能であることを特徴とする装置。
【請求項２】  第1ユニットのシリンダ(20)と第２ユニットのピストン(21)とは、中間部品(5)としてユニット本体を形成し、第１ユニットのピストン（37）と第２ユニットのシリンダ（38）とは、基礎部品（4）としてユニット本体を形成する、請求項１に記載の装置。
【請求項３】  第2ユニットのピストン(21)は、第1ユニットのシリンダ(20)に対して偏心して配置される請求項１または２に記載の装置。
【請求項４】  第2ユニットのピストン(21)は、第1ユニットのシリンダ(20)に対して同心に配置される請求項１または２に記載の装置。
【請求項５】  ２つのユニットのピストン(21；37)はそれぞれ、シールリング(26；41)を有する請求項１ないし４のいずれか1項に記載の装置。
【請求項６】  前記混合チャンバ(14)は、インサート(6)によって前記スプレーヘッド(2)と前記中間部品(5)との間に形成される請求項１ないし５のいずれか1項に記載の装置。
【請求項７】  前記混合チャンバ(14)は、エア用のテーパ付流入開口(16)と、液体用のテーパ付流入開口(15)とを有する請求項６に記載の装置。
【請求項８】  流れ方向から見て、前記エア流入開口(16)及び前記液体流入開口(15)の後ろに、細かいメッシュのふるい(18)が配置される請求項７に記載の装置。
【請求項９】  流れ方向から見て、前記第1ふるい(18)の後ろに、泡チャンバ(17)及び細かいメッシュの第2ふるい(19)が配置される請求項８に記載の装置。
【請求項１０】  前記スプレーヘッド(2)、前記インサート(6)、前記中間部品(5)及び前記基礎部品(4)は、射出成形工程によって成形される合成材料から作られる請求項１ないし９のいずれか1項に記載の装置。
【請求項１１】  前記スプレーヘッド(2)、前記ピストン及び液体用シリンダユニット(21；38)は、２つの成分の合成材料を用いて射出成形される請求項１ないし９のいずれか1項に記載の泡スプレー装置(1)の製造方法。
【請求項１２】  バルブ(30；24；44)として、さらにシールリング(26；41)として機能する要素は、ゴム製弾性合成材料から作られ、射出成形中、それらの要素に協働する部品(5；4)それぞれによって取り囲まれる請求項11に記載の製造方法。
【手続補正書】
【提出日】平成17年8月24日(2005.8.24)
【手続補正１】
【補正対象書類名】明細書
【補正対象項目名】特許請求の範囲
【補正方法】変更
【補正の内容】
【特許請求の範囲】
【請求項１】  （ａ）被験体における妊娠を防ぐための経口避妊薬及び（ｂ）（ｉ）経口避妊薬が指示されている被験体を通常より高い発生率で悩まし、そして（ii）葉酸投与により処置できるかまたは予防できる疾患を処置するかまたは予防するために十分な量の葉酸を含んでなる製薬学的組成物。
【請求項２】  疾患が催奇形疾患、子宮頸部形成異常、子宮頸癌及び心臓血管疾患よりなる群から選択される請求項１の製薬学的組成物。
【請求項３】  （ａ）被験体における閉経期疾患を処置するかまたは予防するためのホルモン補充組成物及び（ｂ）（ｉ）ホルモン補充組成物が指示されている被験体を通常より高い発生率で悩まし、そして（ii）葉酸投与により処置できるかまたは予防できる疾患を処置するかまたは予防するために十分な量の葉酸を含んでなる製薬学的組成物。
【請求項４】  閉経期疾患が閉経周辺期疾患である請求項３の製薬学的組成物。
【請求項５】  閉経期疾患が閉経後疾患である請求項３の製薬学的組成物。
【請求項６】  疾患が子宮頸部形成異常、子宮頸癌及び心臓血管疾患よりなる群から選択される請求項３の製薬学的組成物。
【請求項７】  （ａ）被験体における性腺機能不全症を処置するかまたは予防するためのホルモン補充組成物及び（ｂ）（ｉ）ホルモン補充組成物が指示されている被験体を通常より高い発生率で悩まし、そして（ii）葉酸投与により処置できるかまたは予防できる疾患を処置するかまたは予防するために十分な量の葉酸を含んでなる製薬学的組成物。
【請求項８】  被験体が女性であり、そして疾患が催奇形疾患、子宮頸部形成異常、子宮頸癌及び心臓血管疾患よりなる群から選択される請求項７の製薬学的組成物。
【請求項９】  被験体が男性であり、そして疾患が心臓血管疾患である請求項７の製薬学的組成物。
【請求項１０】  継続的な毎日の投与のために適合した、複数の投薬単位を含有する製薬学的包装品を含んでなる薬剤送達系であって、ここで、各投薬単位が（ａ）経口避妊薬及びホルモン補充組成物よりなる群から選択される製薬学的組成物及び（ｂ）（ｉ）製薬学的組成物が指示されている被験体を通常より高い発生率で悩まし、そして（ｉｉ）葉酸投与により処置できるかまたは予防できる疾患を処置するかまたは予防するために十分な量の葉酸を含んでなる薬剤送達系。
【請求項１１】  各投薬単位が経口避妊薬を含んでなる請求項１０記載の薬剤送達系。
【手続補正書】
【提出日】平成18年4月20日(2006.4.20)
【手続補正１】
【補正対象書類名】明細書
【補正対象項目名】特許請求の範囲
【補正方法】変更
【補正の内容】
【特許請求の範囲】
【請求項１】  ε−カプロラクトンのホモポリマーの９５〜５重量％と、結晶性脂肪酸と多価アルコールの飽和C12〜C18脂肪酸エステルである結晶性脂肪酸エステルとからなる群から選択された結晶化改質剤の５〜９５重量％のブレンド中、有効量の生理活性蛋白質からなる生理活性蛋白質の生体内での遅延放出を与える製剤。
【請求項２】  蛋白質が酵素である請求項１に記載の製剤。
【請求項３】  酵素がアルカリホスファターゼである請求項２に記載の製剤。
【請求項４】  蛋白質がペプチドである請求項１に記載の製剤。
【請求項５】  ペプチドがロイプロリドアセテートである請求項４に記載の製剤。
【請求項６】  蛋白質が抗体である請求項１に記載の製剤。
【請求項７】  抗体が抗−EMである請求項６に記載の製剤。
【請求項８】  結晶化改質剤が、多価アルコールの飽和C12〜C18脂肪酸エステルである結晶性脂肪酸エステルである請求項１に記載の製剤。
【請求項９】  多価アルコールが、グリセリン、エチレングリコールおよびプロピレングリコールからなる群から選択される請求項８に記載の製剤。
【請求項１０】  多価アルコールがグリセリンモノステアレートである請求項９に記載の製剤。
【請求項１１】  ε−カプロラクトンのホモポリマーがブレンド中７０〜３０重量％の範囲の量で存在し、結晶化改質剤がブレンド中３０〜７０重量％の範囲の量で存在する請求項１に記載の製剤。
【請求項１２】  ε−カプロラクトンのホモポリマーと結晶化改質剤とがブレンド中それぞれ５０重量％である請求項１１に記載の製剤。
【請求項１３】  ε−カプロラクトンのホモポリマーの９５〜５重量％と、結晶性脂肪酸と多価アルコールの飽和C12〜C18脂肪酸エステルである結晶性脂肪酸エステルとからなる群から選択された結晶化改質剤の５〜９５重量％のブレンドに、生理活性蛋白質を添加する工程からなる生理活性蛋白質の放出速度を調節する方法。
【請求項１４】  結晶化改質剤が、多価アルコールの飽和C12〜C18脂肪酸エステルである結晶性脂肪酸エステルである請求項１３に記載の方法。
【請求項１５】  多価アルコールが、グリセリン、エチレングリコール、プロピレングリコールからなる群から選択される請求項１４に記載の方法。
【請求項１６】  多価アルコールがグリセリンモノステアレートである請求項１５に記載の方法。
【請求項１７】  蛋白質が酵素、ペプチド及び抗体からなる群から選択された請求項１３に記載の方法。
【請求項１８】  蛋白質をブレンドに添加する前に、蛋白質含有溶液を凍結乾燥することからなる請求項１３に記載の方法。
【請求項１９】  蛋白質がブレンドの１〜６０重量％の範囲の量で添加される請求項１３に記載の方法。
【請求項２０】  蛋白質がブレンドの１０〜４０重量％の範囲の量で添加される請求項１９に記載の方法。
【請求項２１】  ε−カプロラクトンの少なくとも８０重量％と他の吸収性モノマーの対応する残重量との共重合体の９５〜５重量％と、結晶性脂肪酸と多価アルコールの飽和C12〜C18脂肪酸エステルである結晶性脂肪酸エステルとからなる群から選択された結晶化改質剤の５〜９５重量％のブレンド中、有効量の生理活性蛋白質からなる生理活性蛋白質の生体内での遅延放出を与える製剤。
【請求項２２】  ε−カプロラクトンの少なくとも８０重量％と他の吸収性モノマーの対応する残重量との共重合体の９５〜５重量％と、結晶性脂肪酸と多価アルコールの飽和C12〜C18脂肪酸エステルである結晶性脂肪酸エステルとからなる群から選択された結晶化改質剤の５〜９５重量％のブレンド中に、生理活性蛋白質を添加する工程からなる生理活性蛋白質の放出速度の調節方法。
【手続補正２】
【補正対象書類名】明細書
【補正対象項目名】００２６
【補正方法】変更
【補正の内容】
【００２６】
上記の試験に基づいて、グリセリンモノステアレート及びポリカプロラクトンのブレンドからの抗体の抗−EMの調節放出が可能である。
実施例３
以下の実施例は、本発明のポリマーブレンドを組み合わせた際の酵素のアルカリホスファターゼの調節放出を示す。ペレットは以下を除いて、実施例１のロイプロリドアセテートのように製造した。
【手続補正３】
【補正対象書類名】明細書
【補正対象項目名】００２７
【補正方法】変更
【補正の内容】
【００２７】
７．０ｇ    ポリカプロラクトン
３．０ｇ    グリセロールモノステアレート
１．０ｇ  アルカリホスファターゼ（シグマ＃ｐ−７６４０、ロット＃７５H７０５１）
ペレットの３２ｍｇを、１０ｍLの燐酸緩衝液（PBS、０．１％NaN3含有）が含有された蓋つきバイアルに入れた。溶解を３７℃で、約１６２ｒｐｍで回転する軌道攪拌器で行った。
【手続補正４】
【補正対象書類名】明細書
【補正対象項目名】００２９
【補正方法】変更
【補正の内容】
【００２９】
溶解試験の結果を図２に示しており、アルカリホスファターゼの６０％が４日間にわたって放出したことを示す。放出したアルカリホスファターゼの約６６．６％が、生理活性であった。
【手続補正書】
【提出日】平成18年1月26日(2006.1.26)
【手続補正１】
【補正対象書類名】明細書
【補正対象項目名】特許請求の範囲
【補正方法】変更
【補正の内容】
【特許請求の範囲】
【請求項１】  E3領域の部分又は全部、あるいはその中の選択遺伝子の部分又は全部の欠失を容易にする制限部位をE3領域内に有する組換えアデノウイルスベクターを含んで成る組成物。
【請求項２】  前記組換えアデノウイルスベクターが、E3領域内の6.7k及びgp19kタンパク質をコードする初期領域遺伝子中に制限部位を有する、請求項１に記載の組成物。
【請求項３】  前記組換えアデノウイルスベクターが、E3領域内の10.4k、14.5k及び14.7kタンパク質をコードする初期領域遺伝子中に制限部位を有する、請求項１に記載の組成物。
【請求項４】  E3領域の部分又は全部、あるいはその中の選択遺伝子の部分又は全部の欠失を容易にする制限部位をE3領域内に有する組換えアデノウイルスを含んで成る組成物。
【請求項５】  E3領域の部分又は全部、あるいはその中の6.7k及びgp19kタンパク質をコードする選択遺伝子の部分又は全部の欠失を容易にする制限部位をE3領域内に有する組換えアデノウイルスを含んで成る組成物。
【請求項６】  E3領域の部分又は全部、あるいはその中の10.4k、14.5k及び14.7kタンパク質をコードする選択遺伝子の部分又は全部の欠失を容易にする制限部位をE3領域内に有する組換えアデノウイルスを含んで成る組成物。
【請求項７】  pE3SV,pE3SV+V, pE3SV+B及びpE3SV+V+Bから成る群中から選択されるアデノウイルスベクターを含んで成る組成物。
【請求項８】  E3SV,E3SV+V, E3SV+B及びE3SV+V+Bから成る群中から選択されるアデノウイルスを含んで成る組成物。
【請求項９】  除去されたE3領域の部分又は全部が、場合により組織特異的プロモーターに作用可能に連結された異種タンパク質をコードする遺伝子によって置換された、請求項１に記載の組成物。
【請求項１０】  前記アデノウイルスベクターのE1A又はE1b領域が更に欠失している、ただしそのE1b領域が55kタンパク質をコードする、請求項１に記載の組成物。
【請求項１１】  欠失した前記E1b又はE1A領域が、異種タンパク質をコードする遺伝子によって置換された、請求項１０に記載の組成物。
【請求項１２】  前記異種タンパク質が、腫瘍壊死因子α、インターフェロンγ、インターロイキン、細胞自殺タンパク質、及びmip-3から成る群中から選択される、請求項９又は11に記載の組成物。
【請求項１３】  前記異種タンパク質がネガティブ選択遺伝子である、請求項９に記載の組成物。
【請求項１４】  前記ネガティブ選択遺伝子が、シトシンデアミナーゼ及びチミジンキナーゼから成る群から選択される、請求項１３に記載の組成物。
【請求項１５】  請求項７に記載のアデノウイルスベクターを保有する細胞。
【請求項１６】  請求項８に記載のアデノウイルスを保有する細胞。
【請求項１７】  治療を必要とする哺乳動物のガンを治療するための組成物であって、前記異種タンパク質が抗ガン活性を有する請求項９又は１１に記載の組成物の治療上有効な量を含んで成る組成物。
【請求項１８】  前記異種タンパク質が、腫瘍壊死因子α、インターフェロンγ、インターロイキン、細胞自殺タンパク質、及びmip-3から成る群中から選択される、請求項１７に記載の組成物。
【請求項１９】  前記組成物と共に化学療法剤又は免疫抑制剤を投与するために処方される、請求項１８に記載の組成物。
【手続補正書】
【提出日】平成18年3月3日(2006.3.3)
【手続補正１】
【補正対象書類名】明細書
【補正対象項目名】特許請求の範囲
【補正方法】変更
【補正の内容】
【特許請求の範囲】
【請求項１】  配列番号２および配列番号４からなる群より選択されるアミノ酸配列に対して、それぞれその配列番号２または４の全長にわたって少なくとも85％の同一性を有するアミノ酸配列を含んでなる、単離された免疫原性ポリペプチド。
【請求項２】  アミノ酸配列が配列番号２および配列番号４からなる群より選択されるアミノ酸配列に対して、それぞれその配列番号２または４の全長にわたって少なくとも95％の同一性を有する、請求項１に記載の単離されたポリペプチド。
【請求項３】  配列番号２および配列番号４からなる群より選択されるアミノ酸配列を含んでなる、請求項１に記載のポリペプチド。
【請求項４】  配列番号２または配列番号４からなる群より選択されるアミノ酸配列を有する単離されたポリペプチド。
【請求項５】  請求項１〜４のいずれか１項に記載のポリペプチドの免疫原性断片であって、該免疫原性断片の免疫原性活性が配列番号２または配列番号４のポリペプチドのものと実質的に同一である、上記断片。
【請求項６】  請求項１〜５のいずれかに記載のポリペプチドであって、該ポリペプチドが、大きな融合タンパク質の一部である、上記ポリペプチド。
【請求項７】  請求項１〜６のいずれかに記載のポリペプチドをコードする単離されたポリヌクレオチド。
【請求項８】  配列番号２または４のアミノ酸配列に対して、それぞれその配列番号２または４の全長にわたって少なくとも85％の同一性を有するポリペプチドをコードするヌクレオチド配列を含んでなる単離されたポリヌクレオチド、またはその単離されたポリヌクレオチドに相補的なヌクレオチド配列。
【請求項９】  配列番号２または４のポリペプチドをコードするヌクレオチド配列に対して、そのコード領域全体にわたって少なくとも85％の同一性を有するヌクレオチド配列を含んでなる単離されたポリヌクレオチド、またはその単離されたポリヌクレオチドに相補的なヌクレオチド配列。
【請求項１０】  配列番号１または３のヌクレオチド配列に対して、それぞれその配列番号１または３の全長にわたって少なくとも85％の同一性を有するヌクレオチド配列を含んでなる単離されたポリヌクレオチド、またはその単離されたポリヌクレオチドに相補的なヌクレオチド配列。
【請求項１１】  同一性が配列番号１または３に対して少なくとも95％である、請求項７〜１０のいずれか１項に記載の単離されたポリヌクレオチド。
【請求項１２】  配列番号２または配列番号４のポリペプチドをコードするヌクレオチド配列を含んでなる単離されたポリヌクレオチド。
【請求項１３】  配列番号１または配列番号３のポリヌクレオチドを含んでなる単離されたポリヌクレオチド。
【請求項１４】  ストリンジェントなハイブリダイゼーション条件下で、配列番号１もしくは配列番号３の配列またはその断片を有する標識プローブを用いて適当なライブラリーをスクリーニングすることによって得られる配列番号２または配列番号４のポリペプチドをコードするヌクレオチド配列を含んでなる、単離されたポリヌクレオチド。
【請求項１５】  請求項７〜１４のいずれか１項に記載の単離されたポリヌクレオチドを含む、発現ベクターまたは組換え生存微生物。
【請求項１６】  請求項１５に記載の発現ベクターを含む宿主細胞、または配列番号２および配列番号４からなる群より選択されるアミノ酸配列に対して少なくとも85％の同一性を有するアミノ酸配列を含んでなる単離されたポリペプチドを発現している該宿主細胞の細胞下画分もしくは膜。
【請求項１７】  請求項１〜６のいずれか１項に記載のポリペプチドの生産方法であって、請求項１６に記載の宿主細胞を該ポリペプチドを産生させるのに十分な条件下で培養し、その培養培地から該ポリペプチドを回収することを含んでなる、上記方法。
【請求項１８】  請求項７〜１４のいずれか１項に記載のポリヌクレオチドの発現方法であって、宿主細胞を該ポリヌクレオチドの少なくとも１つを含む発現ベクターで形質転換し、該宿主細胞を該ポリヌクレオチドのいずれか１つを発現させるのに十分な条件下で培養することを含む、上記発現方法。
【請求項１９】  有効量の請求項１〜６のいずれか１項に記載のポリペプチドおよび製薬上許容される担体を含むワクチン組成物。
【請求項２０】  有効量の請求項７〜１４のいずれか１項に記載のポリヌクレオチドおよび製薬上有効な担体を含むワクチン組成物。
【請求項２１】  少なくとも１種の他のナイセリア・メニンギチジス(Neisseria meningitidis)抗原を含む、請求項１９または２０に記載のワクチン組成物。
【請求項２２】  請求項１〜６のいずれか１項に記載のポリペプチドまたは免疫学的断片に対して免疫特異的な抗体。
【請求項２３】  ナイセリア・メニンギチジス(Neisseria meningitidis)に感染した疑いのある動物由来の生物学的サンプル中に存在する、請求項１〜６のいずれか１項に記載のポリペプチドまたは該ポリペプチドに対して免疫特異的な抗体を同定することを含む、ナイセリア・メニンギチジス(Neisseria meningitidis)感染の検出方法。
【請求項２４】  動物において免疫応答を生起させるのに使用する薬剤の調製における、免疫学的に有効な量の請求項１〜６のいずれか１項に記載のポリペプチドを含む組成物の使用。
【請求項２５】  動物において免疫応答を生起させるのに使用する薬剤の調製における、免疫学的に有効な量の請求項７〜１４のいずれか１項に記載のポリヌクレオチドを含む組成物の使用。
【請求項２６】  請求項１〜６のいずれか１項に記載のポリペプチドに対抗して誘導された少なくとも１種の抗体および適当な製薬学的担体を含む、ナイセリア・メニンギチジス(Neisseria meningitidis)感染症に罹患したヒトの治療に有用な治療用組成物。
【手続補正書】
【提出日】平成18年4月27日(2006.4.27)
【手続補正１】
【補正対象書類名】明細書
【補正対象項目名】特許請求の範囲
【補正方法】変更
【補正の内容】
【特許請求の範囲】
【請求項１】  ＣＤ４０の細胞質ドメイン、及び／又はＣＤ３０及びＴＮＦレセプターＩＩのようなＴＮＦレセプタースーパーファミリーの他のレセプターと相互作用する能力があり、配列番号２に示すアミノ酸配列を含む、単離されたタンパク質、又は、まだ、ＣＤ４０の細胞質ドメイン、及び／又はＣＤ３０及びＴＮＦレセプターＩＩのようなＴＮＦレセプタースーパーファミリーの他のレセプターと相互作用する能力があり、配列番号２の５４〜１４０位のアミノ酸中の少なくとも連続した長さ１０個のアミノ酸を含む、そのフラグメント。
【請求項２】  請求項１記載のタンパク質であって、該フラグメントが配列番号２の５４〜３６２位のアミノ酸を含むタンパク質。
【請求項３】  請求項１記載のタンパク質であって、該フラグメントが配列番号２の２７４〜３６２位のアミノ酸を含むタンパク質。
【請求項４】  請求項１〜３いずれか１項記載のタンパク質またはそのフラグメントをコードする核酸配列。
【請求項５】  配列番号１に示す、請求項４記載の核酸配列。
【請求項６】  医薬として使用するための、請求項１〜３いずれか１項記載のタンパク質及び／又はそのフラグメント。
【請求項７】  アテローム性動脈硬化症、関節炎、多発性硬化症、全身性エリテマトーデス及び／又は移植片拒絶用の医薬を製造するための、請求項１〜３いずれか１項記載のタンパク質またはそのフラグメントの使用。
【請求項８】  請求項１〜３いずれか１項記載のタンパク質及び／又はそのフラグメントの、抗腫瘍処置のために腫瘍細胞を感作させるための医薬を製造するための使用。
【請求項９】  請求項１〜３いずれか１項記載のタンパク質及び／又はそのフラグメントの、該タンパク質とＴＲＡＦ（ＴＮＦレセプター結合因子）、ＣＤ４０又はＮＦ−κＢ経路の他のタンパク質成分との相互作用を干渉する化合物をスクリーニングするための使用。
【請求項１０】  請求項１〜３いずれか１項記載のタンパク質及び／又はそのフラグメントを活性化または阻害する化合物をスクリーニングする方法であって、
（ａ）スクリーニングすべき化合物を請求項１〜３いずれか１項記載のタンパク質又はそのフラグメント及び適切な条件下で該タンパク質又はそのフラグメントと相互作用することができる読み出しシステムを含有する反応混合物と結合する工程
（ｂ）該読み出しシステムでの該タンパク質又はそのフラグメントの相互作用を可能にする条件下で、複数の化合物を含む化合物又はサンプルの存在する該反応混合物を維持する工程、
（ｃ）読み出しシステムの抑制又は活性化をもたらすサンプル及び化合物それぞれを同定するか、又は検証する工程
を含む、方法。